(57)【要約】【課題】複数の水廻り器具から排水を溜め流しした場合においても、排水容量が不足したり、排水が逆流したりすることのない排水システムを提供する。【解決手段】複数の水廻り器具と、排水を一時貯留する貯留部と、前記水廻り器具と貯留部を接続して排水を貯留部に導く導入管と、前記貯留部から所定の落差を以って排出部に接続されるサイフォン排水管と、を備えてなることを特徴とする排水システム。【選択図】図２
2008002258.tif 000002
【特許請求の範囲】
【請求項１】
複数の水廻り器具と、排水を一時貯留する貯留部と、前記水廻り器具と貯留部を接続して排水を貯留部に導く導入管と、前記貯留部から所定の落差を以って排出部に接続されるサイフォン排水管と、を備えてなることを特徴とする排水システム。
【請求項２】
前記サイフォン排水管は排出部を介して排水立て管に接続される請求項１に記載の排水システム。
【請求項３】
各水廻り器具から夫々導入管を介して貯留部内に排水を導く請求項１又は２記載の排水システム。
【請求項４】
各水廻り器具に夫々導入管を接続し、導入管を合流後に貯留部内に排水を導く請求項１又は２記載の排水システム。
【請求項５】
導入管が貯留部の側面に接続された請求項１乃至４いずれか１記載の排水システム。
【請求項６】
導入管が貯留部の頂面に接続された請求項１乃至４いずれか１記載の排水システム。
【請求項７】
排水立て管は建築物の共有部に設けられ、同一階において複数の専有区画からのサイフォン排水管が接続される請求項１乃至６いずれか１記載の排水システム。
【請求項８】
貯留部の少なくとも一部を内部が目視できる可視部とした請求項１乃至７いずれか１記載の排水システム。
【請求項９】
貯留部より洗浄手段を装着してサイフォン排水管内の洗浄を可能とした請求項１記載の排水システム。
【発明の詳細な説明】
【技術分野】
【０００１】
本発明は、排水システムに係り、特に、所謂サイフォン効果を利用したサイフォン排水システムの改良に関する。
【背景技術】
【０００２】
サイフォン排水システムは、水廻り器具が置かれている階のスラブに沿ってサイフォン排水管を配置し、このサイフォン排水管を前記スラブから所定の落差（水頭差Ｈｓ）を以って排水部に接続した排水システムであり、サイフォン排水管内の排水は水頭差分のサイフォン力を受けて排水される。そして、水廻り器具には夫々２０Ａ程度の小口径のサイフォン排水管が接続され、このサイフォン排水管は、途中で合流することなくそのまま排水部に流入させていた（特許文献１）。
【０００３】
【特許文献１】特開２００３−２０１７２７号公報
【０００４】
しかしながら、ユニットバスや洗濯機等等の水廻り器具では、多量の排水を一度に流す所謂溜め流しが行われるが、このような場合には、小口径のサイフォン排水管１本では排水容量が充分でない場合がある。そこで、排水容量の問題に対処できるように、例えばサイフォン排水管を複数本配設した排水システムが提案されている。
【０００５】
しかるに、従来の勾配排水システムに比べ、サイフォンを利用した排水システムにはサイフォン力発生までのタイムラグがある。このため、水廻り器具から排水が流されてからサイフォン排水が開始されるまでのタイムラグが大きくなると、そのタイムラグの間に水廻り器具のトラップ等から排水が溢れてくることがある。又、排水部から遠距離にある水廻り器具にあっては、排水とサイフォン起動時期とのずれから、サイフォン管の横引き長さが制限されることがあり、設計の自由度が低くなることもあった。
【０００６】
更に、一般的な集合住宅では、ユニットバスや洗面器、洗濯機等のサニタリー廻りの器具はほぼ一箇所に集約して配置されているが、従来のサイフォン排水システムにおいては、夫々の水廻り器具から単独で配管することが原則であり、このためサイフォン排水管が多数になり、施工性の煩わしさがあった。
【発明の開示】
【発明が解決しようとする課題】
【０００７】
本発明は、上記問題を解決すべくなされたもので、複数の水廻り器具から排水を流した場合においても排水容量が不足したり、器具側から排水が溢れたりすることのない排水システムの提供を目的とする。又、サイフォン管の横引き長さの制限が少なく、設計の自由度が高い排水システムの提供も本発明の目的である。
【課題を解決するための手段】
【０００８】
本発明の要旨は、複数の水廻り器具と、排水を一時貯留する貯留部と、前記水廻り器具と貯留部を接続して排水を貯留部に導く導入管と、前記貯留部から所定の落差を以って排出部に接続されるサイフォン排水管と、を備えてなることを特徴とする排水システムであって、通常集合住宅等では、排出部を介して排水立て管に接続されるものである。そして、各水廻り器具から夫々導入管を介して貯留部内に排水を導くこととなるが、この導入管を合流後に貯留部内に排水を導くこともできることは言うまでもない。
【発明の効果】
【０００９】
本発明によれば、複数の水廻り器具から排水を溜め流しした場合においても排水機能を阻害することはなく、貯留容量が不足したり、水廻り器具側のトラップ等から排水が溢れたりすることのない排水システムを提供することができたものである。
【発明を実施するための最良の形態】
【００１０】
本発明の排水システムについて言及すれば、水廻り器具とサイフォン排水管の間に導入管を介して貯留部を備えたものである。このため、水廻り器具から一度に多量の排水があった場合でも、サイフォン開始までの間の排水は一時的に貯留部内に溜められる。このため、流した排水が水廻り器具等から溢れることがない。そして、貯留部に貯留された排水は、サイフォン排水管を通して排出されるものとなる。
【００１１】
前記サイフォン排水管は、貯留部から所定の落差を以って排出部に接続されている。このようなサイフォン排水管としては、例えば、貯留部からスラブに沿って配設され、先端が排出部に向かって垂下させた形態の管路であるが、この形態には限定されない。
【００１２】
そして、サイフォン排水管が所定の落差を以って排水部に接続されているから、貯留部に貯留された排水はサイフォン排水管を満たし、サイフォン排水管内の排水は水頭差にて重力で落下しようとするので、サイフォン排水管内に負圧が生じる。この負圧によってサイフォン排水管内を満たしている排水を排出部に向かって引っ張り、所謂サイフォン効果が生じ、排水はサイフォン排水管内を排出部に向かって急速に排出されることとなる。従って、サイフォン排水管には、途中に若干の上り勾配や下り勾配が設けられていてもよいし、スラブ上に若干の段差や他の配管がある場合は、これらを跨ぎ越すように上下に屈曲されていてもよい。
【００１３】
前記の導入管にあって、水廻り器具に接続された各導入管がそのまま貯留部に接続されることが多いが、場合によっては、貯留部に至る前に任意の数の導入管が合流され、その後貯留部に排水が導かれることも可能である。後者の場合には、貯留部に開ける接続箇所の数を減らすことができ、間取りによっては配管がしやすいという効果もあり、勿論、コスト面でのメリットともなる。更に、リフォ−ム等で本発明の排水システムを採用する場合には、導入管の合流部までは既設の配管をそのまま用いることができるというメリットもある。
【００１４】
尚、貯留部と水廻り器具間を導入管にて接続するが、導入管と水廻り器具との接続は通常は水廻り器具側のトラップに接続されるものであり、一方、導入管と貯留部との接続は特に限定される位置はない。即ち、導入管は貯留部の側面或いは頂面に接続されるものであって、場合によっては貯留部の側面或いは底面に接続され、貯留部内を上方に伸び、先端が頂部近くで開放させておくこともできる。これらは両者の接続の容易さ、メンテナンスの容易さ、貯留部と水廻り器具との位置関係等を考慮して接続され、材料的にはできるだけ短い長さとするのがよい。
【００１５】
排出部は、前記サイフォン排水管を通して排水が排出される排出先であり、この排水部は、更に排水立て管、貯留桝、地下排水ピット等に接続されることとなる。
【００１６】
貯留部はいわゆる水槽状のものが好ましいが、径の太い管材をもって貯留部としてもよい。この貯留部の材質は、金属製或いは樹脂製のものであるが、貯留部の内部を見通せる構造であるのがよく、例えば透明の樹脂製であれば内部や接続部を目視することができ、これによって貯留部内の不具合を早く検知することが可能となる。更にいえば、万一夫々の配管の接続に問題があった場合には、一般に排水中にエアの混入があるが、これが目視でき、これによって接続不良を確認しその不良箇所を特定することが可能となる。
【００１７】
尚、例えば集合住宅に本発明の排水システムを適用した場合、排水立て管が建築物の共有部に設けられるのが一般的であるが、この排水立て管には、同一階における複数の専有区画からのサイフォン排水管を接続することも可能である。
【００１８】
尚、排水システムにおける排水管の内面には、排水中に混在した有機物等がこびりつきやすいため、本来であれば定期的に洗浄することが好ましい。この洗浄の方法として排水管内を高圧の流体を通して洗浄する方法が主として採用されている。従来の排水システムの高圧洗浄方法は、各器具毎にトラップを取り外し洗浄後はこれを装着する必要があり、そのスペ−スの確保が要求される。そして、各器具毎に汚れが飛び散らないような養生が必要であった。しかるに、本発明においては、排水管が貯留部に集中するシステムであるため、この貯留部から一度に排水管内へ高圧流体を流すことが可能となったものであり、各器具毎のトラップに対応する必要がなくなり、トラップの取り外し及び装着作業並びに洗浄作業のためのスぺ−スの確保も必要ではなくなるという大きなメリットもある。
【実施例】
【００１９】
１．実施形態１
図１〜図２は集合住宅等にて適用される実施形態１を示す図であり、水廻り器具として、ユニットバスＡ１、洗濯機Ａ２、洗面器Ａ３（以下、単に水廻り器具Ａと称する場合がある）が例示されている。そして、各水廻り器具から夫々導入管ａ１〜ａ３（以下、単に導入管ａと称する場合がある）が接続され、排水の一時貯留の目的で貯留部Ｂが備えられ、前記の導入管ａが夫々この貯留部Ｂに接続されている。そして、貯留部Ｂの底部に近い位置から、この例では３本のサイフォン排水管ｂ１〜ｂ３（以下、単にサイフォン排水管ｂと称する場合がある）が各階のスラブ１４に添って配設されている。かかるサイフォン排水管ｂはフロア１４に対して無勾配に配設されるのが普通であるが、若干の±の勾配があってもよい。
【００２０】
一方、各階のスラブ１４を貫いて排水立て管Ｃが垂直に配置され、この排水立て管Ｃにスラブ１４から落差Ｈｓをもって排水部Ｄが備えられており、前記のサイフォン排水管ｂはその先端が落差Ｈｓをもって排水部Ｄに接続されたものである。尚、図中、ＳＬはスラブ面、ＦＬは床面、ＰＳはパイプシャフトスぺ−スを示す。
【００２１】
導入管ａは勾配排水と同様に５０Ａの塩ビ管が用いられ、その勾配は１／５０である。又、サイフォン排水管ｂには２０Ａのポリブテン管が用いられている。尚、サイフォン排水管ｂの本数は必要処理流量と処理可能流量とによって定めることができる。
【００２２】
貯留部Ｂの形状は任意であるが、メンテナンス・施工性を考慮した形が好ましい。そして、貯留部Ｂの設置場所は任意であるがメンテナンスしやすい場所が好ましい。貯留部Ｂの大きさは、サイフォン排水開始までの時間と最大排水量とよって決定されるが、二重床の床下の間隔の関係上、最大９００・７００・１００ｍｍ程度の大きさが確保でき、その場合、約６０（Ｌ）程度の貯留部容量が確保でき、殆んどの間取りに対応可能である。
【００２３】
貯留部Ｂにあって、キッチン排水に用いる場合には、図３に示すようにキッチンＡ４のカウンタＡ４ａの下方に空間が空くから、前記空間に貯留部Ｂを配設し、キッチンＡ４のトラップＡ４ｂを貯留部Ｂに接続してもよい。この図３の例は、後述する他の実施形態にも適用できることは言うまでもない。
【００２４】
尚、後述する実施形態も含めて、導入管を貯留部の側面に接続される例が示されているが、側面のなるべく頂部に近い方が貯留部の容量を十分に利用できて好適である。図４は図３の別例を示すもので、キッチンＡ４のカウンタＡ４ａの下方に貯留部Ｂを配設し、キッチンＡ４のトラップＡ４ｂに接続された導入管ａ４を貯留部Ｂの頂部に接続した例である。勿論、他の水廻り器具からの導入管と貯留部との関係も同様であり、こうすることによって、接続時の作業もメンテナンス時の作業も便利であるし、貯留部Ｂの容量を最も有効に利用することができることともなる。
【００２５】
更に、貯留部Ｂにあっては、水廻り器具のトラップとの取り合いも自由に設計可能であり、図５は水廻り器具として洗濯機Ａ２を取り上げた例であるが、図５（Ａ）に示すように貯留部ＢとトラップＡ２ｂとを分離独立して設置してもよく、図５（Ｂ）に示すように貯留部Ｂの内部にトラップＡ２ｂを設けてもよい。尚、図示はしないが、貯留部Ｂの設置場所は任意であり、必ずしも水廻り器具（この例では洗濯機Ａ２）やトラップ（Ａ２ａ）の近くに設置する必要はなく、前記したように設置作業性やメンテナンスしやすい場所が好ましいことは言うまでもない。
【００２６】
実施形態１の例において、水廻り器具Ａから排出された排水は、夫々導入管ａを通って貯留部Ｂに導びかれる。そして、貯留部Ｂに接続されたサイフォン排水管ｂに流入する。そして、サイフォン排水管ｂが排水で満たされると、落差Ｈｓによりサイフォン排水管ｂ内の排水は重力によって引き出される状態となり、サイフォン排水管ｂ内の水は勿論であるが、貯留部Ｂ内の水も合流部Ｄに向かって急速に流れ落ちることとなる。
【００２７】
排水の流れ及び貯留部Ｂへの排水の溜り具合について更に言えば、サイフォン開始前は流出量（処理量）よりも流入量の方が多く、一方、サイフォン開始後は、流入量よりも流出量の方が多い関係となる。このように、サイフォン開始前は一応の排水処理はしているが、貯留部Ｂの中に水が溜っていくので、水廻り器具からは水が溢れることはないという特徴を有するものである。
【００２８】
従って、貯留部Ｂの容量は上記サイフォン起動が開始するまでに排水される容量を溜めるだけの容量があればよく、例えば、溜め流し時に排水される最大排水量はユニットバスＡ１で１．０（Ｌ／秒）、洗濯機Ａ２で０．６（Ｌ／秒）、洗面器Ａ３で０．４（Ｌ／秒）と想定される。一方、サイフォン排水管ｂはサイズが２０Ａであれば、条件によって異なるが、ここでは１本当り最大０．７（Ｌ／秒）の処理が可能である。ここで、実施形態１においては、３本のサイフォン排水管を用いているので、２．１（Ｌ／秒）の排水を処理ができることとなる。
【００２９】
実施形態１においては、全ての水廻り器具Ａを同時に溜め流しで排水した場合でも処理可能であり、サイフォン排水による処理量を上回る排水量があった場合でも、サイフォン排水が開始されるまで時間かかった場合でも、排水処理ができずに水廻り器具Ａ側より溢れる等という現象はない。尚、予想される処理料に応じてサイフォン排水管の本数を増やしてもよいし、貯留容量を大きくする設計としてもよい。
【００３０】
２．実施形態２
図６は本発明の実施形態２を示す図であり、水廻り器具Ａに接続された導入管ａにあって、貯留部Ｂに合流する前に導入管ａ３に他の導入管ａ１、ａ２を合流させた例である。他の形態は実施形態１と同様であり説明は省略する。このように、水廻り器具Ａに接続された導入管ａを任意に合流させ、これを貯留部Ｂに接続することもできるもので、例えば、リフォ−ム時でサイフォン排水システムを導入するに当たって、場合によっては水廻り器具からの既存の配管をそのまま使用することも可能であることを示すものである。尚、この例では全ての導入管を一本に合流させたが、数本の導入管の内の一部を合流させる形態とすることができることは言うまでもない。
【００３１】
３．実施形態３
図７は集合住宅等にて適用される実施形態３を示す図である。即ち、隣り合う２つの部屋１０１と１０２との間の共用部２００に収容された排水立て管Ｃ１と、部屋１０１と１０２とにおいてユニットバスＡ１、洗濯機Ａ２、及び洗面器Ａ３からの排水を一時貯留する貯留部Ｂ１と、キッチンＡ４からの排水を一時貯留する貯留部Ｂ２と、貯留部Ｂ１及び貯留部Ｂ２から排水立て管Ｃ１に所定の落差Ｈｓを以って接続されたサイフォン排水管ｂ１、ｂ２、ｂ３、ｂ４とを備える。尚、貯留部Ｂ１は、洗濯機Ａ２が載置される洗濯機防水パンＡ２ａの下側に設けられている例である。ユニットバスＡ１からの排水は導入管ａ１によって、洗面器Ａ３からの排水は導入管ａ３によって貯留部Ｂ１に導入される。そして、洗濯機Ａ２からの排水はトラップＡ２ｂを通して貯留部Ｂ１に導入される。キッチンＡ４と貯留部Ｂ２とはトラップ（図示せず）を介して接続されている。
【００３２】
この例では、集合住宅の部屋１０１、１０２共に水廻り器具を２系統（Ａ１〜Ａ３、Ａ４）に分け、これを夫々の貯留部Ｂ１、Ｂ２をもって対応した例であり、貯留部Ｂ１にはサイフォン排水管ｂ１、ｂ２が接続され、貯留部Ｂ２にはｂ３、ｂ４が接続されている例である。そして、これらサイフォン排水管ｂはいずれも共用部２００内の排水立て管Ｃ１に向かってサイフォン排水される例である。この例にあっても、排水立て管の本数を減らすことが可能となることは言うまでもない。尚、実施形態４にて詳述するが、キッチンＡ４にディスポ−ザ−がない場合、或いは、キッチンが近くにある場合には、例えば、貯留部Ｂ２を省略し、貯留部Ｂ１にキッチン排水を合流させることができることは言うまでもない。
【００３３】
４．実施形態４
通常の集合住宅等の排水にあって、ユニットバスや洗濯機等のようなサニタリーとキッチンとが離れているケ−スが多く見られ、在来の排水での搬送限界が２ｍ程度であるために同じ排水立て管に合流するのが難しい面があった。又、キッチンの排水において、ディスポ−ザ−付きの場合には、規制の関係でキッチン排水とサニタリ−排水を合流させることはできず、キッチン系統の排水は単独で処理槽に接続する必要があった。
【００３４】
図８はこの点を考慮しての実施形態４であって、実施形態３の変形例とも言えるものである。即ち、サニタリ−廻りの排水とキッチン廻りの排水を別々に処理する例であり、第２の共用部２０２内に排水立て管Ｃ２が配置されたもので、前記の第１の排水立て管Ｃ１にはサニタリ−廻りの排水が、第２の排水立て管Ｃ２にはキッチン廻りの排水が、夫々サイフォン排水管ｂ１、ｂ２及びｂ３、ｂ４によって流れ込むシステムである。この例でも排水立て管Ｃ２は部屋１０１、１０２が共に使用する例である。
【００３５】
本実施形態は、キッチン廻りに限らず一部の排水系統に適用することもでき、例えば、キッチン廻りからの排水のみは従来の勾配式のシステムを採用することも可能である。
【００３６】
実施形態３、４にあっては、上記の通り排水立て管Ｃ１及びＣ２を２戸で共有して使用することから、各戸ごとに排水立て管を設ける場合に比較して排水立て管の本数を削減でき、コスト面で優位性がある。加えて、部屋１０１及び１０２のいずれにおいても、導入管ａ、貯留部Ｂ１、貯留部Ｂ２、サイフォン排水管ｂ等が各専有区画内に収められ、かつ、図示しない排水立て管への合流部やサイフォン排水管の垂下部（Ｈｓに対応する部分）は共用部に納められるため、上下で隣接する部屋同士も、同じ階で隣接する部屋同士も区分所有の問題が解決される。更に、結果として専有面積の大きな住戸となるものである。このように、排水立て管を共用部に配置し、これを共通で使用するメリット大きいものであり、この考えは、サイフォン排水システムにあって、貯留部を備えない通常のシステムでもそのまま適用可能である。
【産業上の利用可能性】
【００３７】
以上説明したように、本発明によれば複数の水廻り器具から排水を溜め流しした場合においても排水貯留容量が不足したり、水廻り器具側のトラップ等から排水が溢れたりすることのない排水システムを提供することができたもので、サイフォン管の横引き長さの制限が少なく、集合住宅のほか、ホテル、保養所、旅館、オフィスビルな等に好適な、設計の自由度が高い排水システムが提供される。
【図面の簡単な説明】
【００３８】
【図１】図１は実施形態１の全体的な構成を示す概略平面図である。
【図２】図２は実施形態１の全体的な構成を示す概略側面図である。
【図３】図３は実施形態１が備える貯留部の別の例を示す部分側面図である。
【図４】図４は実施形態１が備える貯留部の更に別の例を示す部分断面図である。
【図５】図５は実施形態１において、洗濯機のトラップを貯留部内部に設けた例、及び洗濯機のトラップを貯留部から独立させた例を示す拡大図である。
【図６】図６は実施形態２の全体的な構成を示す概略平面図である。
【図７】図７は実施形態３の全体的な構成を示す平面図である。
【図８】図８は実施形態４の全体的な構成を示す平面図である。
【符号の説明】
【００３９】
Ａ１‥ユニットバス
Ａ２‥洗濯機
Ａ２ａ‥防水パン
Ａ２ｂ‥トラップ
Ａ３‥洗面器
Ａ４‥キッチン
Ｂ、Ｂ１、Ｂ２‥貯留部
Ｃ、Ｃ１、Ｃ２‥排水立て管
ａ１、ａ２、ａ３‥導入管、
ｂ、ｂ１、ｂ２、ｂ３、ｂ４‥サイフォン排水管
【図１】
2008002258.tif 000003
【図２】
2008002258.tif 000004
【図３】
2008002258.tif 000005
【図４】
2008002258.tif 000006
【図５】
2008002258.tif 000007
【図６】
2008002258.tif 000008
【図７】
2008002258.tif 000009
【図８】
2008002258.tif 000010